(57)【要約】【課題】  ロールペーパーを多種多様に使用出来き、持ち運びに便利な卓上型とし現行の箱入りティッユを節約、地球環境問題（エコ）に寄与し、多目的に使用出来ることを目的とした。【解決手段】  ロールペーパーの先端を１５ｃｍ程、解き（２）の収納箱に入れ、必要な量だけ、引出して、ちぎって使用する、紙切断用の金属刃も考慮したが、ロールティッユボックスの本体（１）樹脂製に、収納引き出し（２）樹脂製（透明）を差し込み、ロールペーパーの先端を１０〜２０ｃｍ程、解きガイド溝（３）に平行に入れセットする、引出部（引き出しボックス２）両端は、凹凸の型でスムーズに出し入れ出来るようにして、両サイドに溝を設けて、ロックも付けるようにしているロールティッユボックス。【選択図】図１
0003157723.tif 000002
【実用新案登録請求の範囲】
【請求項１】
ロールティッユボックスの本体（１）樹脂製にし、収納引き出し（２）樹脂製（透明）を差し込み、ロールペーパーの先端を１０〜２０ｃｍ程、解きガイド溝（３）に平行に入れセットする、引出部（引き出しボックス２）両端は、凹凸の型でスムーズに出し入れ出来るようにして、両サイドに溝を設けて、取り出し用にして、ロックも付けるようにしていることを特徴とするロールティッユボックス。
【請求項２】
ガイド溝の幅は３ｍｍとし、双方の側に樹脂製のこ刃を作り、本体（１）と同じ材質とし、紙取り出し部（４）は、親指と人差し指が紙つまんで取りだせ、大きさとし、卵型（だ円型）の大きさとすることを特徴とするロールティッユボックス。
【請求項３】
ロールペーパー紙が、ほどよく収まって、縦、横、高さのそれぞれ１３０ｍｍ〜１５０ｍｍの範囲で、材質の厚さ３ｍｍの立法体になって、本体（１）は持ち運びに便利なようにして、立方体の角は、面取りし、引出部（２）はボックス状になっていて、湿ったティッユでも、水漏れしない構造とすることを特徴とするロールティッユボックス。
【考案の詳細な説明】
【技術分野】
【０００１】  本考案は日常使用されている、ロールペーパーを卓上型ボックスに収めて、部屋、野外、車内、等に置いて現行のティッユペーパー（バージンパルプ１００％）の節約を目的とした。
【背景技術】
【０００２】  従来、ロールペーパーはトイレに使用することが一般てきである。このロールペーパーを有効利用することが期待されている（特許文献１、２参照）。ロールペーパーの使用目的が多少変えて、ロールペーパーを、ファッショナブルな箱に納めて、経済的に、節約しながら多種多様に使用することは余り行われていない。
【特許文献１】特開平７−３９６９２号
【特許文献２】特開平７−３９６９３号
【考案が解決しようする課題】
【０００３】  現行のロールペーパーは、トイレ専用にする習慣があるが、箱に納めて使用する事によっては、違和感が違ってくる。ロールペーパーを多種多様に使用出来持ち運びに便利な卓上型とし現行の箱入りティッユを節約、地球環境問題（エコ）に寄与し、多目的に使用出来ることを目的とした。
【課題を解決するための手段】
【０００４】  本考案では、安価なトイレットペーパーを、ファション的な樹脂製の箱の中に納めて、部屋、野外、車内、介護、赤ちゃんのおしり拭き等、必要量に応じて、取り出しが出き、再生紙であるため、若干のエコ問題等にも協力出来る。
【０００５】  ロールティッユボックスの本体（１）樹脂製にし、収納引き出し（２）樹脂製（透明）を差し込み、ロールペーパーの先端を１０〜２０ｃｍ程、解きガイド溝（３）に平行に入れセットする、引出部（引き出しボックス２）両端は、凹凸の型でスムーズに出し入れ出来るようにして、両サイドに溝を設けて、取り出し用にして、ロックも付けるようにしているロールティッユボックスである。ガイド溝の幅は３ｍｍとし、双方の側に樹脂製のこ刃を作り、本体（１）と同じ材質とし、紙取り出し部（４）は、親指と人差し指が紙つまんで取りだせ、大きさとし、卵型（だ円型）の大きさとする。
【０００６】  ロールペーパー紙が、ほどよく収まって、縦、横、高さのそれぞれ１３０ｍｍ〜１５０ｍｍの範囲で、材質の厚さ３ｍｍの立法体になって、本体（１）は持ち運びに便利なようにして、立方体の角は、面取りし、引出部（２）はボックス状になっていて、湿ったティッユでも、水漏れしない構造とするロールティッユボックスである。
【考案の効果】
【０００７】  安価なロールペーパーを、ティッユペーパー型のように使用するのは、時代に逆行する様ではあるが、ファシッョン性のあるボックスに納めて再生紙を、部屋、野外、車内、病気療養中の方々に、又、赤ちゃんのおしりふき等に使用して、出来る様になった。
【考案と実施するための最良の形態】
【０００８】
【実施例】
【０００９】  本体（１）外寸、縦１３０ｍｍ、横１３０ｍｍ、高さ１３０ｍｍ、引き出し部、縦１２２ｍｍ、横１２２ｍｍ、高さ１００ｍｍ、にする事に限り、引き出し部スムーズに動く、（１）（２）の材質、樹脂製、耐熱温度１００度±１０度、とする、樹脂の厚さは、３ｍｍ、落下破損等を考慮して、強度を持たせる。
１．樹脂製（ポリプロピレン）
２．樹脂製（透明）引き出し箱（アクリル）
４．指入れ穴
５．トイレットペーパー
【図面の簡単な説明】
【０００１０】
【図１】ロールティッユボックスの全体図
【図２】ロールティッユボックス正面図
【図３】ロールティッユボックス平面図
【図４】ロールティッユボックスの側面図
【符号の説明】
【０００１１】１．本体
２．引き出ボックス
３．樹脂のこ刃
４．指入れ穴
５．ロールペーパー
６．凸溝
７．凹溝
８．取り出しロックボタン
９．ロールペーパー取り出し状況
１．樹脂製
２．樹脂製（透明）引き出し箱
３．樹脂製のこ刃
４．指入れ穴
５．トイレットペーパー
【図１】
0003157723.tif 000003
【図２】
0003157723.tif 000004
【図３】
0003157723.tif 000005
【図４】
0003157723.tif 000006
【手続補正書】
【提出日】平成20年10月3日(2008.10.3)
【手続補正１】
【補正対象書類名】実用新案登録請求の範囲
【補正対象項目名】全文
【補正方法】変更
【補正の内容】
【実用新案登録請求の範囲】
【請求項１】
本、ロールティッシュボックスは、比較的安価な、トイレットペーパーを、現行箱入りティッシュの様に使用する事を、目的とした。
本体は、衝撃に強く水にも強い樹脂製とした。収納引き出しは使用残量が確認出来る様にアクリルとした。車中等で使用する時でも、耐熱、耐久性を、持たせている事を、特徴とする、ロールティッシュボックス。
【請求項２】
収納引き出しをボックス状にする事に依り、湿った状態でも使用でき  テーブル吹き又は、さまざまな拭き取り紙としても、使用出来る事を特徴とした、ロールティッシュボックス。
【請求項３】
トイレットペーパーそのものは、見ばえが良くないが、コンパクトな美観のいい形状にする事に依り、持ち運びにも便利、今だ、市場にも出現してないアイデア商品とした事を、特徴とする、ロールティッシュボックス。
【手続補正２】
【補正対象書類名】明細書
【補正対象項目名】全文
【補正方法】変更
【補正の内容】
【考案の詳細な説明】
【技術分野】
【０００１】  本考案は日常使用されている、トイレットペーパーを卓上型ボックスに収めて、部屋、野外、車内、等に置いて現行のティッシュペーパーの節約を目的とした。
【背景技術】
【０００２】  従来、トイレットペーパーはトイレに使用することが一般的であるが、このトイレットペーパーを有効利用することが期待されている（特許文献１、２参照）。トイレットペーパーの使用目的を多少変えて、トイレットペーパーを、ファッショナブルな箱に納めて、経済的に、節約しながら使用することは余り行われていない。
【特許文献１】特開平７−３９６９２号
【特許文献２】特開平７−３９６９３号
【考案が解決しようする課題】
【０００３】  現行のトイレットペーパーは、トイレ専用にする習慣があるが、箱に納めて使用する事によっては、違和感が違ってくる。トイレットペーパーを多目的に使用出来、持ち運びに便利な様に卓上型とし、現行の箱入りティッシュの節約、地球環境問題等に寄与し、経済的であることを目的とした。
【課題を解決するための手段】
【０００４】  本考案では、安価なトイレットペーパーを、ファション的な樹脂製の箱の中に納めて、部屋、野外、車内、介護、赤ちゃんのおしり拭き等、必要量に応じて、取り出しが出き、再生紙であるため、若干のエコ問題等にも協力出来る。
【０００５】  ロールティッシュボックスの本体（１）、収納引き出し（２）を差し込み、トイレットペーパーの先端を１０〜２０ｃｍ程、解きガイド溝（３）に平行に入れセットする、引出部両端は、凹凸の型でスムーズに出し入れ出来るようにして、両サイドに溝を設けて、取り出し用にして、ロックも付けるようにしているロールティッシュボックスである。ガイド溝の幅は３ｍｍとし、双方の側に樹脂製のこ刃を作り、本体（１）と同じ材質とし、紙取り出し部（４）は、親指と人差し指が紙つまんで取りだせる大きさとし、だ円型の大きさとする。
【０００６】  トイレットペーパー紙が、ほどよく収まって、縦、横、高さのそれぞれ１３０ｍｍ〜１５０ｍｍの範囲で、材質の厚さ３ｍｍの立方体になって、本体（１）は持ち運びに便利なようにして、立方体の角は、面取りし、引出部（２）はボックス状になっていて、湿ったティッシュでも、水漏れしない構造とするロールティッシュボックスである。
【考案の効果】
【０００７】  安価なトイレットペーパーを、ティッシュペーパー型のように使用するのは、時代に逆行する様ではあるが、ファシッョン性のあるボックスに納めて再生紙を、部屋、野外、車内、病気療養中の方々に、又、赤ちゃんのおしりふき等に使用出来る。
【考案と実施するための最良の形態】
【０００８】
【実施例】
【０００９】  本体（１）外寸、縦１３０ｍｍ、横１３０ｍｍ、高さ１３０ｍｍ、引き出し部、縦１２２ｍｍ、横１２２ｍｍ、高さ１００ｍｍ、にする事に限り、引き出し部スムーズに動く、（１）（２）の材質、樹脂製、耐熱温度１００度±１０度、とする、樹脂の厚さは、３ｍｍ、落下破損等を考慮して、強度を持たせる。
１．樹脂製
２．収納引き出し
４．指入れ穴
５．トイレットペーパー
【図面の簡単な説明】
【０００１０】
【図１】ロールティッシュボックスの全体図
【図２】ロールティッシュボックスの正面図
【図３】ロールティッシュボックスの平面図
【図４】ロールティッシュボックスの側面図
【符号の説明】
【０００１１】１．本体
２．収納引き出し
３．樹脂のこ刃
４．指入れ穴
５．トイレットペーパー
６．凸溝
７．凹溝
８．取り出しロックボタン
９．トイレットペーパー取り出し状況
１．樹脂製
２．収納引き出し
３．樹脂製のこ刃
４．指入れ穴
５．トイレットペーパー
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
ロールティッシュボックスの本体（１）樹脂製にし、収納引き出し（２）樹脂製（透明）を差し込み、ロールペーパーの先端を１０〜２０ｃｍに、解きガイド溝（３）に平行に入れてセットし、引出部（引き出しボックス２）両端では、凹凸の型でスムーズに出し入れ出来るようにして、両サイドに溝を設けて、取り出し用にして、ロックも付けるようにしていることを特徴とするロールティッシュボックス。
【請求項２】
ガイド溝の幅は３ｍｍとし、双方の側に樹脂製のこ刃を作り、本体（１）と同じ材質とし、紙取り出し部（４）を、親指と人差し指によって紙を取りだせる大きさとした卵型（楕円形型）の大きさとすることを特徴とする請求項１記載のロールティッシュボックス。
【請求項３】
ロールペーパー紙が、ほどよく収まって、縦、横、高さのそれぞれ１３０ｍｍ〜１５０ｍｍの範囲で、材質の厚さ３ｍｍの立法体になって、本体（１）は持ち運びに便利なようにして、立方体の角においては、面取りし、引出部（２）をボックス状にして、湿ったティッシュでも、水漏れしない構造にしていることを特徴とする請求項１記載のロールティッシュボックス。
【手続補正２】
【補正対象書類名】明細書
【補正対象項目名】全文
【補正方法】変更
【補正の内容】
【考案の詳細な説明】
【技術分野】
【０００１】  本考案は日常使用されている、ロールペーパーを卓上型ボックスに収めて、部屋、野外、車内、等に置いて現行のティッシュペーパー（バージンパルプ１００％）の節約を目的とした森林資源等の節約の目的、地球環境問題（ＣＯ２削減）に微弱ながら協力したい。
【背景技術】
【０００２】  従来、ロールペーパーはトイレに使用することが一般てきである。このロールペーパーを有効利用することが期待されている（特許文献１、２参照）。ロールペーパーの使用目的が多少変えて、ロールペーパーを、ファッショナブルな箱に納めて、経済的に、節約しながら多種多様に使用することは余り行われていない。【特許文献１】特開平７−３９６９２号
【特許文献２】特開平７−３９６９３号
【考案が解決しようする課題】
【０００３】現行のロールペーパーは、トイレ専用にする習慣があるが、箱に納めて使用する事によっては、違和感が違ってくる。ロールペーパーを多種多様に使用出来持ち運びに便利な卓上型とし現行の箱入りティッユを節約、地球環境問題（エコ）に寄与し、多目的に使用出来ることを目的とした。
【課題を解決するための手段】
【０００４】本考案では、安価なトイレットペーパーをファッション的な樹脂製の箱の中に納めて、部屋、野外、車内、介護、赤ちゃんのおしり拭き等、必要量に応じて、取り出しが出き、再生紙であるため、若干のエコ問題等にも協力出来る。ロールティッユボックスの本体（１）樹脂製にし、収納引き出し（２）樹脂製（透明）を差し込み、ロールペーパーの先端を１０〜２０ｃｍ程、解きガイド溝（３）に平行に入れセットする、引出部（引き出しボックス２）両端は、凹凸の型でスムーズに出し入れ出来るようにして、両サイドに溝を設けて、取り出し用にして、ロックも付けるようにしているロールティッシュボックスである。ガイド溝の幅は３ｍｍとし、双方の側に樹脂製のこ刃を作り、本体（１）と同じ材質とし、紙取り出し部（４）は、親指と人差し指が紙つまんで取りだせ、大きさとし、卵型（だ円型）の大きさとする。  ロールペーパー紙が、ほどよく収まって、縦、横、高さのそれぞれ１３０ｍｍ〜１５０ｍｍの範囲で、材質の厚さ３ｍｍの立法体になって、本体（１）は持ち運びに便利なようにして、立方体の角は、面取りし、引出部（２）はボックス状になっていて、湿ったティッユでも、水漏れしない構造とするロールティッユボックスである。
【考案の効果】
【０００５】  安価なロールペーパーを、ティッシュペーパー型のように使用するのは、時代に逆行する様ではあるが、ファシッョン性のあるボックスに納めて再生紙を、部屋、野外、車内、病気療養中の方々に、又、赤ちゃんのおしりふき等に使用していただきたい。
【考案と実施するための最良の形態】
【実施例】
【０００６】  寸法は、１３０ｍｍ〜１５０ｍｍ程の、樹脂製（立法体）とし、（２）は樹脂製（透明）、中の容量が確認出来るので、あわてないですむ、小型軽量であるので、置き場所もあまり選ばない、必要使用量に応じて取り出せるから便利である。１．樹脂製２．樹脂製（透明）引き出し箱３．樹脂製のこ刃４．指入れ穴５．トイレットペーパー
【図面の簡単な説明】
【図１】ロールティッシュボックスの全体図
【図２】ロールティッシュボックス正面図
【図３】ロールティッシュボックス平面図
【図４】ロールティッシュボックスの側面図
【符号の説明】
１．本体２．引き出ボックス３．樹脂のこ刃４．指入れ穴５．ロールペーパー６．凸溝７．凹溝８．取り出しロックボタン９．ロールペーパー取り出し状況
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
ロールティッシュボックスの本体（１）を樹脂製にし、収納引き出し（２）を差し込み、、ロールペーパーの先端を１０ｃｍ程解き、ガイド溝（３）に平行に入れてセットし、本体（１）と収納引き出し（２）の両端に、凹凸の貫通状の溝（６）（７）を設けて、スムーズに出し入れ出来るようにするとともに、ロック（８）も付けたことを特徴とする、ロールティッシュボックス。
【請求項２】
ガイド溝（３）の幅は３ｍｍとし、双方の側に、樹脂製のこ刃を作り、本体（１）と同じ材質とし、紙取り出し部（４）を、親指と人指し指によって紙を取り出せる大きさとした楕円形型とすることを特徴とする、請求項１記載のロールティッシュボックス。
【請求項３】
収納引き出し容器の内部に、芳香剤を入れたり、またロールティッシュの中心部に、芳香剤を、収納出来る筒部容器を、取り付けることが出来る。  使用する芳香剤は、限定するもではなく、市販の芳香剤を、使用することができるようにしたことを特徴とする、請求項１記載のロールティッシュボックス。
【手続補正２】
【補正対象書類名】明細書
【補正対象項目名】全文
【補正方法】変更
【補正の内容】
【考案の詳細な説明】
【技術分野】
【０００１】  本考案は日常使用されている、ロールペーパーを、卓上型ボックスに収めて、部屋、野外、車内、等に置いて、現行のティッシュペーパー（バージンパルプ１００％）の節約を目的とした、森林資源等の節約、地球環境問題（ＣＯ２削減）に、微弱ながら協力したい製品。
【背景技術】
【０００２】  従来、ロールパーパーはトイレ等に、使用することが一般的であるが、このロールペーパーを、有効利用することが期待されている。（特許文献１、２参照）ロールペーパーの使用目的を多少変えて、ロールペーパーをファッショナブルな箱に納めて、経済的に、節約しながら、多種多様に、使用することは余り行われていない。【特許文献１】特開平７−３９６９２号
【特許文献２】特開平７−３９６９３号
【考案の開示】
【考案が解決しようする課題】
【０００３】  現行のロールペーパーは、トイレ専用にする習慣があるが、箱に納めて使用する事によって、違和感が違ってくる。ロールペーパーを、多種多様に使用出来、持ち運びに便利な卓上型とし、現行の箱入りティッシュを節約、地球環境問題等に寄与し、多目的に使用出来ることを目的とした。
【課題を解決するための手段】
【０００４】  本考案では、安価なトイレットペーパーを、ファッション的な樹脂製の箱の中に納めて、部屋、野外、車内、介護、赤ちゃんのおしり拭き等、必要量に応じて、自在に取り出しが出来、再生紙であるため、若干のエコ問題等にも協力出来る。
【０００５】  本考案では、樹脂を使用するが、内容物の残量が分かるような半透明の樹脂でもよい。  但し、様々な場所にて、使用する為に、本体（１）、収納引き出し（２）は樹脂製の耐熱温度（１００℃±１０℃）とする。
【０００６】  ロールペーパー紙が、ほどよく納まって、縦、横、高さ、それぞれ１３０ｍｍ〜１５０ｍｍの範囲で、材質の厚さ３ｍｍの立方体になって、本体（１）は持ち運びに便利なようにして、立方体の角においては、面取りし、収納引き出し（２）をボックス状にして、湿ったティッシュでも、水漏れしない構造にしている、ロールティッシュボックスである。
【考案の効果】
【０００７】  安価なロールペーパーを、現行ティッシュの様に、使用するのは、時代に逆行する様であるが、ファッション性のあるボックスに納めて、再生紙を、部屋、野外、車内、病気療養中の方々に、又、赤ちゃんのおしりふき等にも使用できる。
【考案と実施するための最良の形態】
【０００８】  実施例によって最良の形態を示す。このものに限定するものではない。広く安価なロールペーパーを活用できる。
【実施例１】
【０００９】  寸法は、縦、横、高さ、１３０ｍｍ〜１５０ｍｍの立方体の、樹脂製ボックス（１）（２）であり、樹脂製で、小型軽量である。  そのために置き場所もあまり選ばない。  必要使用量に応じて取り出せるから便利である。【００１０】  図１に示すような番号で提示した部品の形状にした。１．  本体          樹脂製（耐熱温度１００℃±１０℃）２．  収納引き出し  樹脂製（耐熱温度１００℃±１０℃）３．  のこ刃  １．に同じ４．  指入れ穴５．  トイレットペーパー
【図面の簡単な説明】
【００１１】
【図１】ロールティッシュボックスの全体図
【図２】ロールティッシュボックス正面図
【図３】ロールティッシュボックス平面図
【図４】ロールティッシュボックスの側面図
【符号の説明】
【００１２】１．  本体２．  収納引き出し３．  のこ刃４．  指入れ穴５．  ロールペーパー６．  凸溝７．  凹溝８．  取り出しロックボタン９．  ロールペーパー取り出し状況
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
ロールティッシュボックスの本体（１）を樹脂製にし、収納引き出し（２）を差し込み、ロールペーパーの先端を１０ｃｍ程解き、ガイド溝（３）に平行に入れてセットし、本体（１）と収納引き出し（２）の両端に、凹凸の貫通状の溝（６）（７）を設けて、スムーズに出し入れ出来るようにするとともに、ロック（８）も付けたことを特徴とする、ロールティッシュボックス。
【請求項２】
ガイド溝（３）の幅は３ｍｍとし、双方の側に、樹脂製のこ刃を作り、本体（１）と同じ材質とし、紙取り出し部（４）を、親指と人指し指によって紙を取り出せる大きさとした楕円形型としたロールティッシュボックス。
【手続補正２】
【補正対象書類名】明細書
【補正対象項目名】全文
【補正方法】変更
【補正の内容】
【考案の詳細な説明】
【技術分野】
【０００１】  本考案は日常使用されている、ロールペーパーを、卓上型ボックスに収めて、部屋、野外、車内、等に置いて、現行のティッシュペーパー（バージンパルプ１００％）の節約を目的とした、森林資源等の節約、地球環境問題（ＣＯ２削減）に、微弱ながら協力したい製品。
【背景技術】
【０００２】  従来、ロールパーパーはトイレ等に、使用することが一般的であるが、このロールペーパーを、有効利用することが期待されている。（特許文献１、２参照）
ロールペーパーの使用目的を多少変えて、ロールペーパーをファッショナブルな箱に納めて、経済的に、節約しながら、多種多様に、使用することは余り行われていない。
【特許文献１】  特開平７−３９６９２号
【特許文献２】  特開平７−３９６９３号
【考案の開示】
【考案が解決しようする課題】
【０００３】  現行のロールペーパーは、トイレ専用にする習慣があるが、箱に納めて使用する事によって、違和感が違ってくる。
ロールペーパーを、多種多様に使用出来、持ち運びに便利な卓上型とし、現行の箱入りティッシュを節約、地球環境問題等に寄与し、多目的に使用出来ることを目的とした。
【課題を解決するための手段】
【０００４】  本考案では、安価なトイレットペーパーを、ファッション的な樹脂製の箱の中に納めて、部屋、野外、車内、介護、赤ちゃんのおしり拭き等、必要量に応じて、自在に取り出しが出来、再生紙であるため、若干のエコ問題等にも協力出来る。
【０００５】  本考案では、樹脂を使用するが、内容物の残量が分かるような半透明の樹脂でもよい。
但し、様々な場所にて、使用する為に、本体（１）、収納引き出し（２）は樹脂製の耐熱温度（１００℃±１０℃）とする。
【０００６】  ロールペーパー紙が、ほどよく納まって、縦、横、高さ、それぞれ１３０ｍｍ〜１５０ｍｍの範囲で、材質の厚さ３ｍｍの立方体になって、本体（１）は持ち運びに便利なようにして、立方体の角においては、面取りし、収納引き出し（２）をボックス状にして、湿ったティッシュでも、水漏れしない構造にしている、ロールティッシュボックスである。
【考案の効果】
【０００７】  安価なロールペーパーを、現行ティッシュの様に、使用するのは、時代に逆行する様であるが、ファッション性のあるボックスに納めて、再生紙を、部屋、野外、車内、病気療養中の方々に、又、赤ちゃんのおしりふき等にも使用できる。
【考案と実施するための最良の形態】
【０００８】  実施例によって最良の形態を示す。このものに限定するものではない。
広く安価なロールペーパーを活用できる。
【実施例１】
【０００９】  寸法は、縦、横、高さ、１３０ｍｍ〜１５０ｍｍの立方体の、樹脂製ボックス（１）（２）であり、樹脂製で、小型軽量である。
そのために置き場所もあまり選ばない。
必要使用量に応じて取り出せるから便利である。【００１０】  図１に示すような番号で提示した部品の形状にした。
１．  本体          樹脂製（耐熱温度１００℃±１０℃）
２．  収納引き出し  樹脂製（耐熱温度１００℃±１０℃）
３．  のこ刃  １．に同じ
４．  指入れ穴
５．  トイレットペーパー
【図面の簡単な説明】
【００１１】
【図１】  ロールティッシュボックスの全体図
【図２】  ロールティッシュボックス正面図
【図３】  ロールティッシュボックス平面図
【図４】  ロールティッシュボックスの側面図
【符号の説明】
【００１２】１．  本体
２．  収納引き出し
３．  のこ刃
４．  指入れ穴
５．  ロールペーパー
６．  凸溝
７．  凹溝
８．  取り出しロックボタン
９．  ロールペーパー取り出し状況
【手続補正書】
【提出日】平成21年11月19日(2009.11.19)
【手続補正１】
【補正対象書類名】実用新案登録請求の範囲
【補正対象項目名】全文
【補正方法】変更
【補正の内容】
【実用新案登録請求の範囲】
【請求項１】
ロールティッシュボックスの本体（１）を樹脂製にし、収納引き出し（２）を差し込み、ロールペーパーの先端を１０ｃｍ程解き、ガイド溝（３）に平行に入れてセットし、本体（１）と収納引き出し（２）の両端に、凹凸の貫通状の溝（６）（７）を設けて、スムーズに出し入れ出来るようにするとともに、ロック（８）も付けたことを特徴とする、ロールティッシュボックス。
【請求項２】
ガイド溝（３）の幅は３ｍｍとし、双方の側に、樹脂製のこ刃を作り、本体（１）と同じ材質とし、紙取り出し部（４）を、親指と人指し指によって紙を取り出せる大きさとした楕円形型としたことを特徴とする、請求項１に記載のロールティッシュボックス。
【手続補正２】
【補正対象書類名】明細書
【補正対象項目名】全文
【補正方法】変更
【補正の内容】
【考案の詳細な説明】
【技術分野】
【０００１】  本考案は日常使用されている、ロールペーパーを、卓上型ボックスに収めて、部屋、野外、車内、等に置いて、現行のティッシュペーパー（バージンパルプ１００％）の節約を目的とした、森林資源等の節約、地球環境問題（ＣＯ２削減）に、微弱ながら協力したい製品。
【背景技術】
【０００２】  従来、ロールパーパーはトイレ等に、使用することが一般的であるが、このロールペーパーを、有効利用することが期待されている。（特許文献１、２参照）
ロールペーパーの使用目的を多少変えて、ロールペーパーをファッショナブルな箱に納めて、経済的に、節約しながら、多種多様に、使用することは余り行われていない。
【特許文献１】  特開平７−３９６９２号
【特許文献２】  特開平７−３９６９３号
【考案の開示】
【考案が解決しようする課題】
【０００３】  現行のロールペーパーは、トイレ専用にする習慣があるが、箱に納めて使用する事によって、違和感が違ってくる。
ロールペーパーを、多種多様に使用出来、持ち運びに便利な卓上型とし、現行の箱入りティッシュを節約、地球環境問題等に寄与し、多目的に使用出来ることを目的とした。
【課題を解決するための手段】
【０００４】  本考案では、安価なトイレットペーパーを、ファッション的な樹脂製の箱の中に納めて、部屋、野外、車内、介護、赤ちゃんのおしり拭き等、必要量に応じて、自在に取り出しが出来、再生紙であるため、若干のエコ問題等にも協力出来る。
【０００５】  本考案では、樹脂を使用するが、内容物の残量が分かるような半透明の樹脂でもよい。
但し、様々な場所にて、使用する為に、本体（１）、収納引き出し（２）は樹脂製の耐熱温度（１００℃±１０℃）とする。
【０００６】  ロールペーパー紙が、ほどよく納まって、縦、横、高さ、それぞれ１３０ｍｍ〜１５０ｍｍの範囲で、材質の厚さ３ｍｍの立方体になって、本体（１）は持ち運びに便利なようにして、立方体の角においては、面取りし、収納引き出し（２）をボックス状にして、湿ったティッシュでも、水漏れしない構造にしている、ロールティッシュボックスである。
【考案の効果】
【０００７】  安価なロールペーパーを、現行ティッシュの様に、使用するのは、時代に逆行する様であるが、ファッション性のあるボックスに納めて、再生紙を、部屋、野外、車内、病気療養中の方々に、又、赤ちゃんのおしりふき等にも使用できる。
【考案と実施するための最良の形態】
【０００８】  実施例によって最良の形態を示す。このものに限定するものではない。
広く安価なロールペーパーを活用できる。
【実施例１】
【０００９】  寸法は、縦、横、高さ、１３０ｍｍ〜１５０ｍｍの立方体の、樹脂製ボックス（１）（２）であり、樹脂製で、小型軽量である。
そのために置き場所もあまり選ばない。
必要使用量に応じて取り出せるから便利である。【００１０】  図１に示すような番号で提示した部品の形状にした。
１．  本体          樹脂製（耐熱温度１００℃±１０℃）
２．  収納引き出し  樹脂製（耐熱温度１００℃±１０℃）
３．  のこ刃  １．に同じ
４．  指入れ穴
５．  トイレットペーパー
【図面の簡単な説明】
【００１１】
【図１】  ロールティッシュボックスの全体図
【図２】  ロールティッシュボックス正面図
【図３】  ロールティッシュボックス平面図
【図４】  ロールティッシュボックスの側面図
【符号の説明】
【００１２】  １．  本体
２．  収納引き出し
３．  のこ刃
４．  指入れ穴
５．  ロールペーパー
６．  凸溝
７．  凹溝
８．  取り出しロックボタン
９．  ロールペーパー取り出し状況